(57)【要約】【課題】水素貯蔵材料に対する熱伝導性を高く維持しつつ、容易に水素貯蔵材料を高密度で充填できる水素貯蔵装置および水素貯蔵装置の使用方法を提供する。【解決手段】熱媒を流通させる熱媒流通管１６と、熱媒流通管１６の熱を水素貯蔵材料５０に伝える複数の熱伝導体２０と、熱媒流通管１６が緊密に挿通され、複数の熱伝導体２０が着脱可能に取り付けられた取付け管３０と、熱媒流通管１６、複数の熱伝導体２０および取付け管３０を、各熱伝導体２０の間に充填された水素貯蔵材料５０とともに収容する外容器と、を備え、充填された水素貯蔵材料５０の機能により、水素の吸蔵および放出を行う。ユニット化する工程と、ユニット化されたものを外容器４０に収容して取付け管３０に熱媒流通管１６を挿通する工程とを分けることができ、水素貯蔵材料５０の充填作業が容易になる。【選択図】図１
2009092148.tif 000002
【特許請求の範囲】
【請求項１】
熱媒を流通させる熱媒流通管と、
前記熱媒流通管の熱を水素貯蔵材料に伝える複数の熱伝導体と、
前記熱媒流通管が緊密に挿通され、前記複数の熱伝導体が着脱可能に取り付けられた取付け管と、
前記熱媒流通管、複数の熱伝導体および取付け管を、前記各熱伝導体の間に充填された水素貯蔵材料とともに収容する外容器と、を備え、
前記充填された水素貯蔵材料の機能により、水素の吸蔵および放出を行うことを特徴とする水素貯蔵装置。
【請求項２】
前記取付け管は、前記熱媒流通管に密着する形状に形成され、
前記取付け管を構成する材料の熱膨張率は、前記熱媒流通管を構成する材料の熱膨張率より大きいことを特徴とする請求項１記載の水素貯蔵装置。
【請求項３】
前記熱媒流通管、複数の熱伝導体および取付け管を、前記各熱伝導体の間に充填された水素貯蔵材料とともに保持し、前記外容器に収容されるメッシュ状の型枠を更に備え、
前記メッシュ状の型枠は、分割して使用可能であることを特徴とする請求項１または請求項２のいずれかに記載の水素貯蔵装置。
【請求項４】
前記熱伝導体は、水素貯蔵材料を収容できる内容器であり、
前記外容器は、水素貯蔵材料を収容した前記内容器を収容することを特徴とする請求項１から請求項３のいずれかに記載の水素貯蔵装置。
【請求項５】
請求項１から請求項４のいずれかに記載の水素貯蔵装置を使用する水素貯蔵材料の充填方法であって、
前記取付け管に取り付けられた複数の熱伝導体の間に水素貯蔵材料を充填するステップと、
前記取付け管に、熱媒流通管を挿通するステップと、を含むことを特徴とする水素貯蔵材料の充填方法。
【発明の詳細な説明】
【技術分野】
【０００１】
本発明は、水素貯蔵材料を容易に高密度で充填できる水素貯蔵装置および水素貯蔵材料の充填方法に関する。
【背景技術】
【０００２】
従来、水素貯蔵材を容器に充填し、水素の吸蔵および放出を行なう水素貯蔵装置が知られている。水素貯蔵装置では、水素貯蔵材料への熱伝導性を高めるとともに、水素の充填効率を向上させることが課題である。たとえば、水素貯蔵材料との効率的な熱交換を行うために複数の熱媒配管やフィルターなど配置し接触面積を確保している水素貯蔵装置がある。しかし、このような水素貯蔵装置は、内部構造が複雑で水素貯蔵材料を容器内に高密度で充填することができない。
【０００３】
これに対し、水素貯蔵材料の成形体を用いて容易に水素貯蔵材料を高密度で充填できる水素貯蔵用容器が提案されている（特許文献１、２参照）。特許文献１記載の水素貯蔵用容器は、内部に伝熱フィンを突設した筒状の容器に円板状の水素貯蔵材料の成形体を収容し、容器および伝熱フィンを用いて熱を水素貯蔵材料に伝えている。また、特許文献２記載の水素貯蔵装置は、成形体を充填した内容器を外容器に収容し、外容器内に熱媒体を循環させる熱媒管を設けている。このようにして、水素貯蔵材料への熱伝導性と同様に水素貯蔵材料の高密度充填性を向上させている。
【特許文献１】特開平９−２３６１９９号公報
【特許文献２】特開２００７−１７０６０４号公報
【発明の開示】
【発明が解決しようとする課題】
【０００４】
しかしながら、特許文献１記載の水素貯蔵用容器は、熱媒による加熱が容器の外からしか行えず、必ずしも熱伝導が十分でない。また、特許文献２記載の装置は、成形体の出し入れに手間がかかり、場合により成形体が割れて粉体がバルブに詰まって目詰まりを生じさせうる。また、熱媒管を外容器内部に設けるため、外容器内部の構成が複雑となる。
【０００５】
本発明は、このような事情に鑑みてなされたものであり、水素貯蔵材料に対する熱伝導性を高く維持しつつ、容易に水素貯蔵材料を高密度で充填できる水素貯蔵装置および水素貯蔵材料の充填方法を提供することを目的とする。
【課題を解決するための手段】
【０００６】
（１）上記の目的を達成するため、本発明に係る水素貯蔵装置は、熱媒を流通させる熱媒流通管と、前記熱媒流通管の熱を水素貯蔵材料に伝える複数の熱伝導体と、前記熱媒流通管が緊密に挿通され、前記複数の熱伝導体が着脱可能に取り付けられた取付け管と、前記熱媒流通管、複数の熱伝導体および取付け管を、前記各熱伝導体の間に充填された水素貯蔵材料とともに収容する外容器と、を備え、前記充填された水素貯蔵材料の機能により、水素の吸蔵および放出を行うことを特徴としている。
【０００７】
このように、本発明の水素貯蔵装置では、熱媒流通管が取付け管に挿通され、取付け管に複数の熱伝導体が着脱可能に取り付けられている。したがって、あらかじめ取付け管に熱伝導体を取り付け、その間に水素貯蔵材料を充填する工程と、このようにしてユニット化されたものを外容器に収容して取付け管に熱媒流通管を挿通する工程とを分けることができ、水素貯蔵材料の充填作業が容易になる。その結果、容易に水素貯蔵材料を高密度に充填できる。また、熱媒流通管が取付け管に緊密に挿通されているため、水素貯蔵材料に対する熱伝導性を高くすることができる。
【０００８】
（２）また、本発明に係る水素貯蔵装置は、前記取付け管は、前記熱媒流通管に密着する形状に形成され、前記取付け管を構成する材料の熱膨張率は、前記熱媒流通管を構成する材料の熱膨張率より大きいことを特徴としている。
【０００９】
これにより、水素貯蔵材料を加熱する際に、取付け管の方が熱媒流通管よりも膨張し、取付け管により熱媒流通管がかしめられる。その結果、熱媒流通管は取付け管に緊密に固定され、取付け管と熱媒流通管との間の熱伝導性が高められる。
【００１０】
（３）また、本発明に係る水素貯蔵装置は、前記熱媒流通管、複数の熱伝導体および取付け管を、前記各熱伝導体の間に充填された水素貯蔵材料とともに保持し、前記外容器に収容されるメッシュ状の型枠を更に備え、前記メッシュ状の型枠は、分割して使用可能であることを特徴としている。
【００１１】
これにより、メッシュ状の型枠を分割して、その内部に熱伝導体間に水素貯蔵材料を充填し、メッシュ状の型枠ごとに外容器に収容させることができる。その結果、水素貯蔵材料の粉体が生じてバルブ詰まり等を引き起こすのを防止できる。また、容易かつ素早く水素貯蔵材料を充填させることができる。
【００１２】
（４）また、本発明に係る水素貯蔵装置は、前記熱伝導体は、水素貯蔵材料を収容できる内容器であり、前記外容器は、水素貯蔵材料を収容した前記内容器を収容することを特徴としている。これにより、水素貯蔵材料の取り扱いが容易になり、水素貯蔵材料の高密度充填が容易になる。
【００１３】
（５）また、本発明に係る水素貯蔵材料の充填方法は、上記の水素貯蔵装置を使用する水素貯蔵材料の充填方法であって、前記取付け管に取り付けられた複数の熱伝導体の間に水素貯蔵材料を充填するステップと、前記取付け管に、熱媒流通管を挿通するステップと、を含むことを特徴としている。このように、取付け管に熱伝導体を取り付け、水素貯蔵材料を充填してユニット化する工程と、ユニットを外容器に収容して取付け管に熱媒流通管を挿通する工程とを分けることができ、水素貯蔵材料の充填作業が容易になる。
【発明の効果】
【００１４】
本発明によれば、ユニット化する工程と、ユニットを外容器に収容して取付け管に熱媒流通管を挿通する工程とを分けることができ、水素貯蔵材料の充填作業が容易になる。その結果、容易に水素貯蔵材料を高密度に充填できる。また、熱媒流通管が取付け管に緊密に挿通されているため、水素貯蔵材料に対する熱伝導性を高く維持することができる。
【発明を実施するための最良の形態】
【００１５】
以下に、本発明の実施形態を図面に基づいて説明する。また、説明の理解を容易にするため、各図面において同一の構成要素に対しては同一の参照番号を付し、重複する説明は省略する。
【００１６】
［実施形態１］
（装置構成）
図１（ａ）、（ｂ）は、それぞれ水素貯蔵装置１を示す斜視図および断面図である。図１（ａ）、（ｂ）に示すように、水素貯蔵装置１は、熱交換器１０、熱交換フィン２０（熱伝導体）、取付け管３０、型枠３５および外容器４０から構成されている。水素貯蔵装置１は、水素貯蔵材料５０の機能により、外部との間で水素の吸蔵および放出を行う。
【００１７】
さらに、熱交換器１０は、容器蓋１１、熱媒流通管１６、水素流通管１８から構成され、熱媒流通管１６は、熱媒流入口１２、熱媒流通路１３、１４および熱媒流出口１５から構成されている。熱媒流通管１６は、管内に熱媒を流通させる。熱媒流通管１６を構成する材料には、ＳＵＳが好ましい。熱媒流通管１６は、円筒形状の二重管の構造を有しており、熱媒流入口１２を介して外部の供給管から流入した熱媒は、外側の熱媒流通路１３および内側の熱媒流通路１４を循環して熱媒流出口１５から外部の排出管へ排出される。このように、二重管の構造により、熱媒の流通路が一本の管に収まるため、水素貯蔵装置１の組み立てが容易になる。
【００１８】
取付け管３０は、熱媒流通管１６に密着する形状に形成されており、水素貯蔵装置１の使用時には熱媒流通管１６が密着して挿通される。熱媒流通管１６および取付け管３０の断面形状は円形であることが好ましいが、これに限定されるわけではない。取付け管３０には、複数の熱交換フィン２０が着脱可能に取り付けられている。熱媒流通管１６が挿入される管であり、緻密質の金属で構成されている。そのため、熱媒流通管１６から伝導される熱の伝導性が高く、水素貯蔵材料５０への熱伝導性を向上させている。
【００１９】
取付け管３０を構成する材料の熱膨張率は、熱媒流通管１６を構成する材料の熱膨張率より大きい。これにより、水素貯蔵材料５０を加熱する際には、取付け管３０の方が熱媒流通管１６よりも膨張する。そして、取付け管３０により熱媒流通管１６がかしめられる。その結果、熱媒流通管１６は取付け管３０に緊密に固定されるとともに、取付け管３０と熱媒流通管１６との間で熱伝導性が高められる。
【００２０】
取付け管３０を構成する材料は、たとえば銅、アルミニウム、チタンもしくはこれらの合金、またはアルミニウム、亜鉛、マグネシウム、銅、チタン、ケイ素、マンガン、ジルコニウム、インジウムおよび錫のうちの２以上の元素の組み合わせで構成されるアルミニウム合金である。具体的には、Ａｌ−Ｚｎ（−Ｍｇ）、Ａｌ−Ｍｎ−Ｃｕ（Ｔｉ）、Ａｌ−Ｓｉ、Ａｌ−Ｍｎ−Ｓｉ−Ｚｎ−Ｚｒ、Ａｌ−Ｓｉ−Ｍｇ、Ａｌ−Ｍｎ−Ｃｕ−Ｔｉ、Ａｌ−Ｓｉ−Ｍｇ、Ａｌ−Ｍｎ（−Ｓｎ，Ｉｎ）−Ｚｒ、Ａｌ−Ｃｕ−Ｍｎ、１００％Ａｌ、Ａｌ−Ｓｉが挙げられる。
【００２１】
取付け管３０の熱膨張率と熱媒流通管１６の熱膨張率の比は、１．２〜２．５であることが好ましい。たとえば、取付け管３０の材料にアルミニウムを使用し、熱媒流通管１６の材料にＳＵＳ３１６を用いた場合には、両者の熱膨張率の比は、アルミニウムの熱膨張率／ＳＵＳ３１６の熱膨張率=２３．５×１０−６／Ｋ÷１６．０×１０−６／Ｋ＝１．４７となる。高温高圧の条件下で水素の吸蔵や放出を行う必要のある場合には、熱媒流通管１６にハステロイ（熱膨張率１０〜１１×１０−６／Ｋ）やインコネル（熱膨張率１１．５×１０−６／Ｋ）を用いるのが好ましい。その場合には、上記の熱膨張率の比は、２．０４〜２．３５となる。
【００２２】
また、取付け管３０にアルミニウム合金（熱膨張率２０．０〜２３．３×１０−６／Ｋ）を使用し、熱媒流通管１６に鋳鉄（熱膨張率９．８×１０−６／Ｋ）やＳＵＳ３０４（１７．３×１０−６／Ｋ）を使用することも可能である。その場合には、上記の熱膨張率の比は、１．１６〜２．３８となる。
【００２３】
熱交換フィン２０は、中央に孔が開いたドーナツ型の円板状に形成されており、中央の孔に取付け管３０を通すことができる形状を有している。熱交換フィン２０は、取付け管３０と同じ材質であることが好ましいが、それよりも大きい熱膨張率を有する材質であってもよい。複数の熱交換フィン２０（熱伝導体）は、中央の円形の孔から取付け管３０に挿入されて取り付けられている。そして、熱交換フィン２０は、水素貯蔵材料の成形体５０の間に設けられている。このような構成により、取付け管３０から伝導される熱が熱交換フィン２０を介して水素貯蔵材料の成形体５０に伝導する。
【００２４】
熱交換フィン２０は、取付け管３０に着脱可能に取り付けられている。これにより、取付け管３０に熱交換フィン２０を取り付け、水素貯蔵材料を充填する工程と、これを外容器４０に収容して取付け管３０に熱媒流通管１６を挿通する工程とを分けることができ、水素貯蔵材料５０の充填作業が容易になる。熱交換フィン２０の孔は、取付け管３０に挿通したときに両者が密着するように形成されている。これにより、水素貯蔵材料５０に対する熱伝導性を高くすることができる。
【００２５】
型枠３５は、両端が閉じられた円筒形状に形成され、水素貯蔵材料５０を拘束し形状を維持するために用いられる。円筒形状の側壁部分は蜜なメッシュ構造が疎なメッシュ構造に覆われた二重構造に形成されており、両端の円板部分は緻密質で形成されている。なお、メッシュ構造を有する側壁部分には、たとえば金属粉末を含んでなる発泡樹脂から作製された多孔質金属等を用いることができる。水素貯蔵材料５０は、型枠３５内に収容された状態で外容器４０に収容される。型枠３５は、たとえば２つに分割して、その中に水素貯蔵材料５０を入れて閉じられるように形成されている。熱媒流通管１６、複数の熱交換フィン２０および取付け管３０、各熱交換フィン２０の間に充填された水素貯蔵材料を包んで保持し、外容器４０に収容される。一旦外容器４０へ収容し易い形態に整えられたユニットが、外容器４０へ収容されることにより、水素貯蔵材料の交換や水素貯蔵装置１の組み立てが容易になる。
【００２６】
外容器４０は、一端が閉じられた円筒形状（カップ状）に形成されており、厚い緻密金属により構成されている。これにより、耐圧性を確保できるように設計されている。外容器４０は、熱媒流通管１６、複数の熱交換フィン２０、取付け管３０および各熱交換フィン２０の間に充填された水素貯蔵材料５０を水素貯蔵ユニット５５として収容する。なお、上記の例では、熱交換フィン２０、型枠３５や外容器４０の外形は円形であるが、楕円形や多角形であってもよい。
【００２７】
（水素貯蔵材料の充填方法）
このように構成される水素貯蔵装置１を用いた水素貯蔵材料５０の充填方法を説明する。まず、取付け管３０および複数の熱交換フィン２０を準備する。図２（ａ）は、取付け管３０に熱交換フィン２０を通した状態を示す斜視図である。熱交換フィン２０の中央の孔の径と取付け管３０の外径はほぼ等しく形成されており、熱交換フィン２０の中央の孔に取付け管３０を通した際に両者は密着する。
【００２８】
一方で、中央に孔５１が開いたペレット形状の水素貯蔵材料の成形体５０を準備する。その際、孔５１の径は、取付け管３０の外径にほぼ等しい大きさとする。図２（ｂ）は、ペレット形状の水素貯蔵材料の成形体５０を示す斜視図である。あらかじめ充填に必要な分だけこのような水素貯蔵材料の成形体５０を作製しておく。そして、熱交換フィン２０を取付け管３０に通し、互い違いに水素貯蔵材料の成形体５０を取付け管３０に通す。その際には、両者を互いに密着させる。このようにして、水素貯蔵ユニット５５を組み立てる。
【００２９】
次いで、水素貯蔵ユニット５５を外容器４０に収容する。あらかじめユニット化しているため、この作業は容易になる。図２（ｃ）は、分解した外容器４０および熱交換器１０の斜視図である。そして、取付け管３０の孔に熱交換器１０の熱媒流通管１６を挿入し、容器蓋１１で外容器４０内を密封する。図３は、取付け管３０の孔に熱交換器１０の熱媒流通管１６を挿入する動作を示す斜視図である。このように取付け管３０に、熱媒流通管１６を挿通して水素貯蔵装置１に水素貯蔵材料を充填することができる。水素貯蔵装置１は、自動車、所定の設備等に設置され、水素流通管１８に水素流通用の管を、熱媒流入口１２および熱媒流出口１５に熱媒の供給用および排出用の管を繋ぐことで使用が可能になる。
【００３０】
［実施形態２］
上記の実施形態では、ドーナツ型の水素貯蔵材料の成形体５０を取付け管３０に嵌め込で水素貯蔵装置１が組み立てられるが、２つに分割した形状の成形体を取付け管３０の側面からとりつけることとしてもよい。図４は、ペレットを分割した形状の水素貯蔵材料を用いる場合の水素貯蔵装置を用いた水素貯蔵材料の充填方法を示す図である。メッシュ状の型枠３５ａ、３５ｂは、分割して使用可能である。このような場合には、あらかじめ取付け管３０に熱交換フィン２０を取り付け、一方では、メッシュ状の型枠３５ａに水素貯蔵材料の成形体５０ｂを設置したものを準備する。そして、取付け管３０および熱交換フィン２０を型枠に設置する。
【００３１】
次に、設置された取付け管３０に、水素貯蔵材料の成形体５０ａを上から取付け、熱交換フィン２０の位置を調整しながら熱交換フィン２０と成形体５０ａ、５０ｂとを密着させる。そして、その上から型枠３５ａを被せて型枠同士を連結する。このようにして、水素貯蔵材料のユニットを外容器４０に収容し、熱交換器１０を設置することができる。
【００３２】
［実施形態３］
上記の実施形態では、水素貯蔵材料の成形体を用いて水素貯蔵装置１を組み立てるが、収容する水素貯蔵材料は成形体でなくてもよい。図５は、水素貯蔵材料の粉体５２を詰めて組み立てられた水素貯蔵装置を用いた水素貯蔵材料の充填方法を示す図である。この場合には、あらかじめ半分の熱交換フィン２０ａを半分の型枠３５ａに設置しておき、熱交換フィン２０の間隙に水素貯蔵材料の粉体５２を詰める。そして、同様に片割れの熱交換フィン２０ｂを片割れの型枠３５ｂに設置しておき、熱交換フィン２０の間隙に水素貯蔵材料の粉体５２を詰める。そして、両者の間に取付け管３０を挟んで、水素貯蔵ユニットを形成する。このようにして、水素貯蔵ユニットに熱交換器１０の熱媒流通管１６を挿入して、水素貯蔵装置を組み立てる。これにより、容易かつ素早く水素貯蔵材料を充填することが可能となる。また、型枠３５ａ、３５ｂの拘束力により水素貯蔵材料の粉体５２が漏れてバルブ詰まり等を引き起こすのを防止できる。
【００３３】
［実施形態４］
上記の実施形態では、熱伝導体として熱交換フィン２０が熱を伝導するが、水素貯蔵材料の成形体５０を収容可能な内容器２７を熱伝導体としてもよい。図６（ａ）は、内容器２７および水素貯蔵材料の成形体５０の分解図、図６（ｂ）は、水素貯蔵材料の成形体５０を収容した内容器２７を示す斜視図である。また、図６（ｃ）は、水素貯蔵材料の成形体５０を収容した内容器２７を用いて形成された水素貯蔵ユニット５８を示す斜視図である。
【００３４】
内容器２７は、中央に孔の開いた容器であり、蓋２６およびカップ２５から構成されている。蓋２６は、緻密質の金属により構成されている。一方、カップ２５の側壁部分は多孔質金属で形成されており、そこから水素が透過できるようになっている。カップ２５の底面部分は緻密質の金属により構成されている。使用時には、カップ２５に水素貯蔵材料の成形体５０を入れて、蓋２６を閉じた内容器２７を取付け管３０に取り付ける。図６（ｃ）に示すような水素貯蔵ユニット５８を構成して外容器４０に収容し、熱交換器１０を連結した状態で容器蓋１１を閉め、水素貯蔵装置を組み立てることができる。外容器４０は、水素貯蔵材料を収容した内容器２７を収容して使用される。これにより、水素貯蔵材料の充填における取り扱いがさらに容易になる。なお、上記の例では水素貯蔵材料の成形体５０を内容器２７に収容しているが、水素貯蔵材料の粉体５７を収容することとしてもよい。この場合も、内容器２７に粉体５７を充填すれば、取り扱いが容易になる。
【実施例】
【００３５】
以下に、本発明の水素貯蔵装置１を用いた実施例を説明する。水素貯蔵装置１の外容器４０には、内容積１リットルのＳＵＳ製耐圧容器を用いた。また、ＳＵＳ製の熱媒流通管１６を用い、アルミニウム製の熱交換フィン２０および取付け管３０を用いた。本発明の充填方法を実施したところ、無機錯体系水素貯蔵材料等の比重の小さい水素貯蔵材料粉末を高密度で充填することができた。
【００３６】
また、軽量化され寸法を短くされた熱交換フィン２０を用いたところ、既存の高純度アルゴングローブボックス内でも熱交換フィン２０を取り外すことができた。その結果、水素貯蔵装置１を用いれば、既存の高純度アルゴングローブボックス内での水素貯蔵材料の充填作業が可能であることが実証された。
【００３７】
また、水素貯蔵装置１を用いて水素の吸蔵および放出を行ったところ、取付け管３０と熱媒流通管１６との接触が良好に保たれ、熱交換器１０から熱交換フィン２０への熱伝導が向上した。水素の吸蔵および放出の実験の際には、マグネシウムアミドと水素化リチウムをナノ複合化したＬｉ−Ｍｇ−Ｎ−Ｈ系水素貯蔵材料粉末を使用した。
【図面の簡単な説明】
【００３８】
【図１】（ａ）実施形態１に係る水素貯蔵装置を示す斜視図、（ｂ）実施形態１に係る水素貯蔵装置を示す断面図である。
【図２】（ａ）取付け管に熱交換フィンを通した状態を示す斜視図、（ｂ）水素貯蔵材料の成形体を示す斜視図、（ｃ）外容器および熱交換器の斜視図である。
【図３】取付け管の孔に熱交換器の熱媒流通管を挿入する動作を示す斜視図である。
【図４】実施形態２に係る水素貯蔵装置を用いた水素貯蔵材料の充填方法を示す図である。
【図５】実施形態３に係る水素貯蔵装置を用いた水素貯蔵材料の充填方法を示す図である。
【図６】（ａ）内容器および水素貯蔵材料の成形体の分解図、（ｂ）水素貯蔵材料の成形体を収容した内容器を示す斜視図、（ｃ）内容器を用いて形成された水素貯蔵ユニットを示す斜視図である。
【符号の説明】
【００３９】
１  水素貯蔵装置
１０  熱交換器
１１  容器蓋
１２  熱媒流入口
１３、１４  熱媒流通路
１５  熱媒流出口
１６  熱媒流通管
１８  水素流通管
２０、２０ａ、２０ｂ  熱交換フィン（熱伝導体）
２７  内容器
３０  取付け管
３５、３５ａ、３５ｂ  型枠
４０  外容器
５０、５０ａ、５０ｂ 水素貯蔵材料（水素貯蔵材料の成形体）
５１  孔
５２  水素貯蔵材料の粉体
５５、５８  水素貯蔵ユニット
【図１】
2009092148.tif 000003
【図２】
2009092148.tif 000004
【図３】
2009092148.tif 000005
【図４】
2009092148.tif 000006
【図５】
2009092148.tif 000007
【図６】
2009092148.tif 000008